(57)【要約】      （修正有）【課題】中性子計測器の交換作業に際して、同時に複数の取り扱いクレーンを用いないＩＣＭ取扱サポートリングを提供する。【解決手段】本発明のＩＣＭ取扱サポートリング１は、原子炉圧力容器２０１のフランジ面に設置され、原子炉圧力容器２０１のスタッドボルト２０２との接触を避けるための穴１０２と、原子炉圧力容器２０１のフランジ面に取り付けるための吊り部１０３と、中性子計測器が収納される専用容器３０１またはその他の装置が取り付けられるブラケット部１０４とを備えている。【選択図】図４Ａ
2020038111.tif 000002
【特許請求の範囲】
【請求項１】
原子炉圧力容器のフランジ面に設置され、
前記原子炉圧力容器のスタッドボルトとの接触を避けるための穴と、
前記原子炉圧力容器のフランジ面に取り付けるための吊り部と、
中性子計測器が収納される専用容器またはその他の装置が取り付けられるブラケット部とを備える
ことを特徴とするＩＣＭ取扱サポートリング。
【請求項２】
請求項１に記載のＩＣＭ取扱サポートリングおいて、
前記ＩＣＭ取扱サポートリングは、原子炉圧力容器のフランジ面の内径以上の内径寸法を有している
ことを特徴とするＩＣＭ取扱サポートリング。
【請求項３】
請求項１に記載のＩＣＭ取扱サポートリングおいて、
前記原子炉圧力容器に設けられる上部案内棒で案内されるガイドを備える
ことを特徴とするＩＣＭ取扱サポートリング。
【請求項４】
請求項１に記載のＩＣＭ取扱サポートリングにおいて、
前記ブラケット部は、炉内作業を補助する装置が取り付けられるように形成されている
ことを特徴とするＩＣＭ取扱サポートリング。
【請求項５】
請求項１に記載のＩＣＭ取扱サポートリングにおいて、
前記ＩＣＭ取扱サポートリングは、複数に分割され構成されている
ことを特徴とするＩＣＭ取扱サポートリング。
【請求項６】
請求項１に記載のＩＣＭ取扱サポートリングおいて、
前記ＩＣＭ取扱サポートリングは、前記原子炉圧力容器の上部フランジ部分の内径とほぼ同じ大きさの内径を有している
ことを特徴とするＩＣＭ取扱サポートリング。
【発明の詳細な説明】
【技術分野】
【０００１】
本発明は、ＩＣＭ取扱サポートリングに関する。
【背景技術】
【０００２】
従来、原子力発電所の沸騰水型軽水炉には原子炉の核分裂の監視のために中性子計測器が炉内に設置されている。中性子計測器は、原子力発電所の定期検査の際に、原子炉建屋天井クレーンと燃料取替機との複数の取り扱いクレーンを使用して交換される。
【０００３】
具体的には、中性子計測器は原子炉建屋の圧力容器の上部側から炉内への据え付けが必要となる。また、中性子計測器は長物であることや撓みやすいため、専用容器に格納される。そして、該専用容器を原子炉建屋天井クレーンを用いて炉内で吊った状態で、中性子計測器は、燃料取替機に取り付けられた据付吊り具を用いて、各据付位置に取り付けられている。
【先行技術文献】
【特許文献】
【０００４】
【特許文献１】特開２００１−１０８７８４号公報
【発明の概要】
【発明が解決しようとする課題】
【０００５】
ところで、原子力発電所の沸騰水型軽水炉の定期検査では、炉内に設置されている中性子計測器を交換することが必要となる。しかし、中性子計測器の交換作業には、上述したように、原子炉建屋天井クレーンと燃料取替機との複数の取り扱いクレーンを同時に占有してしまうために、定期検査のクリティカルパスとなっている。
【０００６】
本発明は上記実状に鑑み創案されたものであり、中性子計測器の交換作業に際して、同時に複数の取り扱いクレーンを用いないＩＣＭ（In Core. Monitor）取扱サポートリングの提供を目的とする。
【課題を解決するための手段】
【０００７】
前記課題を解決するため、本発明のＩＣＭ取扱サポートリングは、原子炉圧力容器のフランジ面に設置され、前記原子炉圧力容器のスタッドボルトとの接触を避けるための穴と、前記原子炉圧力容器のフランジ面に取り付けるための吊り部と、中性子計側器が収納される専用容器またはその他の装置が取り付けられるブラケット部とを備えている。
【発明の効果】
【０００８】
本発明によれば、中性子計測器の交換作業に際して、同時に複数の取り扱いクレーンを用いないＩＣＭ取扱サポートリングを提供できる。
【図面の簡単な説明】
【０００９】
【図１】本発明に係る実施形態１のＩＣＭ取扱サポートリングが原子炉圧力容器に設置された状態を示す概略側面図。
【図２Ａ】実施形態１のＩＣＭ取扱サポートリングの斜視図。
【図２Ｂ】実施形態１のＩＣＭ取扱サポートリングの上面図。
【図３】ＩＣＭ取扱サポートリングが移動する際に吊り部の孔に天井クレーンで吊られる蒸気乾燥器／蒸気分離器取扱具が嵌合される様子を示す模式図。
【図４Ａ】原子炉圧力容器に載置したＩＣＭ取扱サポートリングのブラケットに専用容器を取り付けた状態の斜視図。
【図４Ｂ】原子炉圧力容器に載置したＩＣＭ取扱サポートリングのブラケットに専用容器を取り付けた状態の側面図。
【図４Ｃ】専用容器におけるケースの内部の状態を示す斜視図。
【図４Ｄ】図４ＣのＩ方向矢視図。
【図４Ｅ】図４ＣのII方向矢視図。
【図５Ａ】ＩＣＭ取扱サポートリングにおける穴のうちの２箇所に設置した円形の筒を外した状態の上面図。
【図５Ｂ】円形の筒を外したＩＣＭ取扱サポートリングを、スタッドボルトを外した原子炉圧力容器の上に載置した状態の斜視図。
【図６Ａ】実施形態２のＩＣＭ取扱サポートリングの上部案内管を用いた位置決め方法の斜視図。
【図６Ｂ】実施形態２のＩＣＭ取扱サポートリングの上部案内管を用いた位置決め方法の側断面図。
【図６Ｃ】ＩＣＭ取扱サポートリングのガイド近くの拡大斜視図。
【図７Ａ】実施形態３のＩＣＭ取扱サポートリングを示す斜視図。
【図７Ｂ】実施形態３のＩＣＭ取扱サポートリングを示す上面図。
【図８Ａ】図７ＡのIV方向矢視図。
【図８Ｂ】図８ＡのＶ方向矢視図。
【図９】実施形態３のＩＣＭ取扱サポートリングに、中性子計測器が格納される専用容器とサービス機器とを取り付けた状態を示す斜視図。
【図１０Ａ】着脱ブラケットに専用容器を掛ける状況を示す図。
【図１０Ｂ】着脱ブラケットにサービス機器を掛ける状況を示す図。
【図１１Ａ】実施形態４のＩＣＭ取扱サポートリングを示す斜視図。
【図１１Ｂ】実施形態４のＩＣＭ取扱サポートリングを分離した状態を示す上面図。
【図１１Ｃ】実施形態４のＩＣＭ取扱サポートリングの結合部を示す図１１ＡのVI方向矢視図。
【図１２】実施形態５の中性子計測器を原子炉圧力容器の内部に設置する工程を示す模式図。
【図１３】実施形態５の中性子計測器を原子炉圧力容器の内部に設置する工程を示す模式図。
【図１４】実施形態５の中性子計測器を原子炉圧力容器の内部に設置する工程を示す模式図。
【図１５】実施形態５の中性子計測器を原子炉圧力容器の内部に設置する工程を示す模式図。
【図１６】実施形態５の中性子計測器を原子炉圧力容器の内部に設置する工程を示す模式図。
【図１７】実施形態５の中性子計測器を原子炉圧力容器の内部に設置する工程を示す模式図。
【図１８】実施形態５の中性子計測器を原子炉圧力容器の内部に設置する工程を示す模式図。
【図１９】実施形態５の中性子計測器を原子炉圧力容器の内部に設置する工程を示す模式図。
【発明を実施するための形態】
【００１０】
以下、本発明の実施形態について、適宜図面を参照しながら詳細に説明する。
本発明は、原子炉内の定期検査技術に係る。
【００１１】
＜＜実施形態１＞＞
図１は本発明に係る実施形態１のＩＣＭ取扱サポートリング１が原子炉圧力容器２０１に設置された状態を示す概略側面図である。
【００１２】
図２Ａは、実施形態１のＩＣＭ取扱サポートリング１の斜視図であり、図２Ｂは実施形態１のＩＣＭ取扱サポートリング１の上面図である。
ＩＣＭ取扱サポートリング１は、原子炉圧力容器２０１の内部に取り付ける手段である。
【００１３】
図２Ａ、図２Ｂに示すように、実施形態１のＩＣＭ取扱サポートリング１はリング状の形状を有している。図１に示すように、ＩＣＭ取扱サポートリング１は、原子炉圧力容器２０１のフランジ面２０１ｆに設置される。
【００１４】
ＩＣＭ取扱サポートリング１の内径ｎ１（図２Ｂ）は、原子炉圧力容器２０１の内径ｎ２（図４Ａ）以上の寸法を有している。これにより、ＩＣＭ取扱サポートリング１が原子炉圧力容器２０１の内部に落下することを抑制できる。なお、図４Ａでは、ＩＣＭ取扱サポートリング１の内径ｎ１と原子炉圧力容器２０１の内径ｎ２とがほぼ同じ場合を示している。
【００１５】
原子炉圧力容器２０１のフランジ面２０１ｆには、２本のスタッドボルト２０２が上方に立設されている。
【００１６】
図２Ａ、図２Ｂに示すように、ＩＣＭ取扱サポートリング１はリング状のフランジ１０１と、吊り部１０３と、ブラケット１０４とを有している。
フランジ１０１には、中性子計測器３０４（図４Ｃ〜４Ｅ参照）が格納される専用容器３０１（図４Ａ参照）が取り付けられる。
【００１７】
図２Ｂに示すように、フランジ１０１には、原子炉圧力容器２０１のスタッドボルト２０２（図１参照）とＩＣＭ取扱サポートリング１との干渉を避けるように全周に、円形の穴１０２が複数空けられている。
また、ＩＣＭ取扱サポートリング１には、移動が行えるように吊り部１０３が形成されている。
【００１８】
図３に示すように、吊り部１０３は、ＩＣＭ取扱サポートリング１から上方に向けて凸状に形成され、その中央に水平方向に貫く孔１０３ａが貫設されている。図３は、ＩＣＭ取扱サポートリング１が移動する際に、吊り部１０３の孔１０３ａに、天井クレーン５０１で吊られる蒸気乾燥器／蒸気分離器取扱具４０３が嵌合される様子を示す模式図である。
ＩＣＭ取扱サポートリング１が移動する際には、図３の矢印α１に示すように、天井クレーン５０１で吊られる蒸気乾燥器／蒸気分離器取扱具４０３が吊り部１０３の孔１０３ａに嵌合され、ＩＣＭ取扱サポートリング１が持ち上げられる。
【００１９】
図２Ａに示すように、ＩＣＭ取扱サポートリング１は、複数の円形の穴１０２のうちの２箇所に円形の筒１０５が設けられている。原子炉圧力容器２０１のスタッドボルト２０２（図１参照）に、ＩＣＭ取扱サポートリング１の筒１０５が案内されることにより、ＩＣＭ取扱サポートリング１は、原子炉圧力容器２０１に対して水平方向に位置決めされる。つまり、筒１０５により、ＩＣＭ取扱サポートリング１が原子炉圧力容器２０１から水平方向に移動することが抑制され、位置決めが容易化される。
【００２０】
フランジ１０１には、ブラケット１０４が設けられている。ブラケット１０４は、フランジ１０１の内周円の縁に沿って上方に延びる板状の取付部１０４ａと、取付部１０４ａを支持する筋交い状の支持部１０４ｂとを有している。ブラケット１０４は、フランジ１０１にボルト締め等で固定されている。
【００２１】
図４Ａ、図４Ｂは、それぞれ原子炉圧力容器２０１に載置したＩＣＭ取扱サポートリング１のブラケット１０４に専用容器３０１を取り付けた状態の斜視図、側面図である。
【００２２】
ブラケット１０４は、中性子計測器３０４（図４Ｃ〜図４Ｅ参照）が格納される専用容器３０１等の様々な装置を取り付けるものである。図４Ｃ、図４Ｄ、図４Ｅは、それぞれ専用容器３０１におけるケース３０１ｃの内部の状態を示す斜視図、図４ＣのＩ方向矢視図、図４ＣのII方向矢視図である。
中性子計測器３０４は細くて長物であり、撓みやすい。そのため、原子炉圧力容器２０１の内部に挿入する前に専用容器３０１に格納される。
【００２３】
例えば、中性子計測器３０４の専用容器３０１は、フランジ１０１のブラケット１０４に取り付けられる。ブラケット１０４は専用容器３０１が原子炉圧力容器２０１の内外方向にずれないようになっている。つまり、ブラケット１０４は、専用容器３０１が原子炉圧力容器２０１の炉心（図示せず）がある内側に倒れないように、取付部１０４ａが上側に延びている。
【００２４】
また、ブラケット１０４は、専用容器３０１から中性子計測器３０４（図４Ｃ〜図４Ｅ参照）を取り出す際に、専用容器３０１がフランジ１０１から外れることを抑制する。
【００２５】
図４Ｂに示すように、原子炉圧力容器２０１の内部には、炉心の上に蒸気分離器４０１が設置されている。蒸気分離器４０１は、凝縮水を含む蒸気がタービンに入るとタービン効率を著しく低下させるため、凝縮水を除く装置である。
図４Ａに示すように、原子炉圧力容器２０１上には、ＩＣＭ取扱サポートリング１が、スタッドボルト２０２に穴１０２と筒１０５が案内されて、載置されている。
【００２６】
そして、ＩＣＭ取扱サポートリング１のブラケット１０４に、中性子計測器３０４が収納された専用容器３０１が掛けられている。
専用容器３０１は、外郭をケース３０１ｃで覆われている。
【００２７】
専用容器３０１のケース３０１ｃの内部では、図４Ｃ〜図４Ｅに示すように、中性子計測器３０４は長物であることから、専用容器３０１の収納容器３０３に複数の中性子計測器３０４が組み付けられている。
専用容器３０１がブラケット１０４に掛けられた後、専用容器３０１から中性子計測器３０４が取り出され、原子炉圧力容器２０１の内部の任意の場所に設置される。
【００２８】
このように、専用容器３０１を原子炉圧力容器２０１の内部に取り付けるために、ＩＣＭ取扱サポートリング１を事前に原子炉圧力容器２０１のフランジ面２０１ｆに取り付ける。
一方、ＩＣＭ取扱サポートリング１には、専用容器３０１を上部から取り付けられるように、フランジ１０１とフランジ１０１に設けたブラケット１０４とが付いている。そして、フランジ１０１のブラケット１０４に、後記する原子炉建屋の天井クレーン５０１（図１２参照）または燃料取扱機５０２（図１７参照）を用いて、専用容器３０１が取り付けられる構造としている。
【００２９】
図５Ａは、ＩＣＭ取扱サポートリング１における穴１０２のうちの２箇所に設置した円形の筒１０５（図４Ａ参照）を外した状態の上面図であり、図５Ｂは、円形の筒１０５を外したＩＣＭ取扱サポートリング１を、スタッドボルト２０２（図４Ａ参照）を外した原子炉圧力容器２０１の上に載置した状態の斜視図である。
【００３０】
図５Ａ、図５Ｂに示すように、スタッドボルト２０２を取り付けない原子炉圧力容器２０１には、円形の筒１０５を設けないＩＣＭ取扱サポートリング１が載置される。
【００３１】
上記構成によれば、ＩＣＭ取扱サポートリング１に取り付けた専用容器３０１から中性子計測器３０４を取り出す構成とするので、同時に複数の取り扱いクレーン（５０１、５０２）を用いない構成とできる。そのため、原子炉定期点検時の原子炉内作業時に、原子炉建屋の天井クレーン５０１と燃料取替機５０２の同時運転によるお互いの接触を避けることができる。
【００３２】
従って、原子炉建屋の天井クレーン５０１と燃料取扱機５０２との複数の取り扱いクレーン同士の衝突による炉内への関連機器の落下の可能性を減らすことができる。
また、中性子計測器３０４の専用容器３０１を取り扱うことで、荷重の移動による吊り荷の炉内への落下を抑制できる。
【００３３】
また、ＩＣＭ取扱サポートリング１は原子炉圧力容器２０１の内径とほぼ同じまたは原子炉圧力容器２０１の内径以上の大きさの内径をもつので、移送中においても、炉心に配置された燃料に届くことが抑制される。
従って、中性子計測器３０４の専用容器３０１を取り扱うために、荷重の移動による吊り荷の炉内への落下や、原子炉建屋の天井クレーン５０１と燃料取替機５０２の複数の取り扱いクレーン同士の衝突による炉内への関連機器の落下の可能性を減らすＩＣＭ取扱サポートリング１を提供できる。
【００３４】
＜＜実施形態２＞＞
図６Ａ、図６Ｂは、それぞれ実施形態２のＩＣＭ取扱サポートリング２の上部案内管２０３を用いた位置決め方法の斜視図、側断面図である。図６Ｃは、ＩＣＭ取扱サポートリング２のガイド１０６近くの拡大斜視図である。
【００３５】
実施形態２のＩＣＭ取扱サポートリング２は、ＩＣＭ取扱サポートリング２を原子炉圧力容器２０１の水平方向に位置決めするためのガイド１０６を設けている。
【００３６】
図６Ａ、図６Ｂに示すように、原子炉圧力容器２０１には、ＩＣＭ取扱サポートリング２を位置決めするガイドである上部案内管２０３が固定されている。
【００３７】
図６Ｃに示すように、ガイド１０６には、中心側が開口された貫通孔１０６ａが上部案内管２０３にガイドされる大きさをもって、上下方向に貫通して形成されている。ガイド１０６には、貫通孔１０６ａに連なって中心側テーパ１０６ａ１と下方側テーパ１０６ａ２とが形成されている。
中心側テーパ１０６ａ１は、貫通孔１０６ａに連なってＩＣＭ取扱サポートリング２の中心側にいくに従って次第に広がる傾斜面を有している。
【００３８】
下方側テーパ１０６ａ２は、貫通孔１０６ａに連なってＩＣＭ取扱サポートリング２の下方側にいくに従って次第に広がる傾斜面を有している。
実施形態２のＩＣＭ取扱サポートリング２では、実施形態１と同様、ＩＣＭ取扱サポートリング２の原子炉圧力容器２０１のフランジ面２０１ｆ（図１参照）への取り付けに際して、スタッドボルト２０２（図１参照）を用いてＩＣＭ取扱サポートリング２が原子炉圧力容器２０１に対して、位置決めされる。
【００３９】
一方、原子炉圧力容器２０１からすべてのスタッドボルト２０２（図１参照）が取り外された状態においては、図６Ａに示すように、原子炉圧力容器２０１に固定される上部案内管２０３に、ＩＣＭ取扱サポートリング２のガイド１０６が案内されることで、ＩＣＭ取扱サポートリング２を位置決め可能としている。
【００４０】
ＩＣＭ取扱サポートリング２のガイド１０６には、貫通孔１０６ａに連なって下方にいくに従って次第に広がる傾斜面の下方側テーパ１０６ａ２（図６Ｃ参照）を有する。そのため、ＩＣＭ取扱サポートリング２を上方から、原子炉圧力容器２０１のフランジ面２０１ｆに載置するに際し、原子炉圧力容器２０１の上部案内管２０３に、ガイド１０６の下方側テーパ１０６ａ２（図６Ｃ参照）が案内される。
そのため、ガイド１０６の貫通孔１０６ａが円滑に上部案内管２０３に嵌入され、ＩＣＭ取扱サポートリング２を原子炉圧力容器２０１のフランジ面２０１ｆに容易に位置決めできる。
【００４１】
また、貫通孔１０６ａに連なり、中心側にいくに従って次第に広がる傾斜面の中心側テーパ１０６ａ１（図６Ｃ参照）があることで、原子炉圧力容器２０１の上部案内管２０３近くを通り上下方向に移動させ、原子炉圧力容器２０１に出し入れされる蒸気分離器４０１（図１２参照）、蒸気乾燥器４０２（図１２参照）等の各種機器がガイド１０６に当接することを回避できる。なお、蒸気乾燥器４０２は、蒸気が通過する際に蒸気中に含まれる小さな水滴が除去されるものである。
【００４２】
ブラケット部（ブラケット１０４）は、各作業位置とそこでの炉内作業を補助する装置が取り付けられるように、形成されているので、各作業位置で炉内作業を円滑に行える。
上記構成によれば、原子炉内作業時の蒸気乾燥器４０２と蒸気分離器４０１の搬出、搬入時にガイド１０６に接触することがない、原子炉内作業時を補助する装置のＩＣＭ取扱サポートリング２を得られる。
【００４３】
＜＜実施形態３＞＞
図７Ａ、図７Ｂは、それぞれ実施形態３のＩＣＭ取扱サポートリング３を示す斜視図、上面図である。
実施形態１のＩＣＭ取扱サポートリング１では、ブラケット部が２つのブラケット１０４のみで構成されていたが、実施形態３のＩＣＭ取扱サポートリング３では、図７Ａ、図７Ｂに示すように、多数の着脱ブラケット１０８を、原子炉圧力容器２０１で用いる容器や装置を取り付けられる形状としている。これにより、着脱ブラケット１０８には様々な容器や装置を取り付けることができる。
【００４４】
図８Ａは、図７ＡのIV方向矢視図であり、図８Ｂは、図８ＡのＶ方向矢視図である。
着脱ブラケット１０８は、フランジ１０１の内周円の縁に沿って上方に延びる板状の取付部１０８ａと、取付部１０８ａを支持する筋交い状の支持部１０８ｂとを有している。
【００４５】
図８Ａ、図８Ｂに示すように、取付部１０８ａおよび支持部１０８ｂはボルトｂ１でＩＣＭ取扱サポートリング３に締結固定される。
【００４６】
図９は、ＩＣＭ取扱サポートリング３に、中性子計測器３０４（図４Ｃ、図４Ｄ参照）が格納される専用容器３０１とサービス機器３０２とを取り付けた状態を示す斜視図である。
ＩＣＭ取扱サポートリング３の着脱ブラケット１０８Ａは、中性子計測器３０４が格納される専用容器３０１が掛けられる形状としている。
【００４７】
図１０Ａは、着脱ブラケット１０８Ａに専用容器３０１を掛ける状況を示す図であり、図１０Ｂは、着脱ブラケット１０８Ｂにサービス機器３０２を掛ける状況を示す図である。
【００４８】
図１０Ａに示すように、専用容器３０１には、着脱ブラケット１０８Ａに係合される凹部３０１ａ１を有する係合部３０１ａが設けられている。図１０Ａの矢印α２のように、専用容器３０１を移動させ、専用容器３０１の凹部３０１ａ１に着脱ブラケット１０８Ａの取付部１０８ａ１を嵌入することで、専用容器３０１を着脱ブラケット１０８Ａを介してＩＣＭ取扱サポートリング３に取り付けている。
【００４９】
図１０Ｂに示すＩＣＭ取扱サポートリング３の着脱ブラケット１０８Ｂは、サービス機器３０２の凹部３０２ａ１を有する係合部３０２ａが掛けられる形状としている。図１０Ｂの矢印α３のように、サービス機器３０２を移動させ、サービス機器３０２の凹部３０２ａ１に着脱ブラケット１０８Ｂの取付部１０８ｂ１を嵌入することで、サービス機器３０２を着脱ブラケット１０８Ｂを介してＩＣＭ取扱サポートリング３に取り付けている。
【００５０】
サービス機器３０２の例としては、例えば主蒸気ラインプラグ、ＩＣＭ曲げ装置や水中照明具等がある。
主蒸気ラインプラグとは、主蒸気逃がし安全弁及び主蒸気ラインの部品（主蒸気隔離弁等）の定期検査の際に、原子炉圧力容器２０１から主蒸気ラインに水が流れないようにシールする装置である。
【００５１】
ＩＣＭ曲げ装置とは、使用済（照射された）中性子計測器３０４を原子炉圧力容器２０１の内部から使用済燃料プールまでに遮蔽水深で移動できるように、中性子計測器３０４を曲げてその全長を小さくする。
水中照明具とは、原子炉圧力容器２０１の内部の水中照明を行う装置である。
【００５２】
実施形態３の構成によれば、着脱ブラケット１０８（１０８Ａ、１０８Ｂ）を様々な容器や装置が取り付けられる形状とすることで、ＩＣＭ取扱サポートリング３に所望の様々な容器や装置を取り付けることができる。そのため、炉内作業を円滑に行える。
【００５３】
＜＜実施形態４＞＞
図１１Ａは実施形態４のＩＣＭ取扱サポートリング４を示す斜視図であり、図１１Ｂは実施形態４のＩＣＭ取扱サポートリング４を分離した状態を示す上面図である。
実施形態１のＩＣＭ取扱サポートリング１では一体型のものを例示したが、図１１Ａ、図１１Ｂに示す実施形態４のＩＣＭ取扱サポートリング４は、分割構成として使用前に一体に組み立てられる構造としている。
【００５４】
ＩＣＭ取扱サポートリング４は、図１１Ｂに示す４つの第１リング４Ａ、第２リング４Ｂ、第３リング４Ｃ、および第４リング４Ｄを備えて構成されている。
第１リング４Ａ、第２リング４Ｂ、第３リング４Ｃ、および第４リング４Ｄは、実施形態１のＩＣＭ取扱サポートリング１をほぼ４分割した形状を有している。
【００５５】
ＩＣＭ取扱サポートリング４は、実施形態１と同様、フランジ１０１の全周に円形の穴１０２が複数空けられている。また、ＩＣＭ取扱サポートリング４は、４つの吊り部１０３と２つのブラケット１０４とを有している。
【００５６】
図１１Ｃは実施形態４のＩＣＭ取扱サポートリング４の結合部を示す図１１ＡのVI方向矢視図である。
第３リング４Ｃには、第２リング４Ｂに向かって延びる上方の凸部４ｃ１と、凸部４ｃ１の下方で凹む凹部４ｃ２とが形成されている。また、第２リング４Ｂには、第３リング４Ｃに向かって延びる下方の凸部４ｂ１と、凸部４ｂ１の上方で凹む凹部４ｂ２とが形成されている。つまり、第３リング４Ｃ上方の凸部４ｃ１と下方の凹部４ｃ２と、第２リング４Ｂの上方の凹部４ｂ２と下方の凸部４ｂ１とが、互いに嵌合する構成である。
【００５７】
そして、第３リング４Ｃ上方の凸部４ｃ１と第２リング４Ｂの下方の凸部４ｂ１とを貫いてねじ穴１０９が形成されている。
この構成により、第３リング４Ｃ上方の凸部４ｃ１と下方の凹部４ｃ２と、第２リング４Ｂの上方の凹部４ｂ２と下方の凸部４ｂ１とを、互いに嵌合させ、ねじ穴１０９にボルト１１０を締めることで、第３リング４Ｃと第２リング４Ｂとが結合される。
【００５８】
同様に、第１リング４Ａと第２リング４Ｂとの結合部、第３リング４Ｃと第４リング４Ｄとの結合部、および第４リング４Ｄと第１リング４Ａとの結合部も構成されている。
【００５９】
上述構成により、第１リング４Ａと第２リング４Ｂと第３リング４Ｃと第４リング４Ｄとを有して成るＩＣＭ取扱サポートリング４が構成されている。
そのため、ＩＣＭ取扱サポートリング４は、分割して構成されており、作業前に組み立てられる。そのため、ＩＣＭ取扱サポートリング４の保管、および清掃を容易にできる。
【００６０】
＜＜実施形態５＞＞
実施形態５では、実施形態１のＩＣＭ取扱サポートリング１を用いて、中性子計測器３０４を原子炉圧力容器２０１の内部に設置する工程を説明する。
【００６１】
図１２〜図１９は、実施形態５の中性子計測器３０４を原子炉圧力容器２０１の内部に設置する工程を示す模式図である。
【００６２】
図１２に示すように、原子炉圧力容器２０１の内部には、最下部に燃料棒が載置される炉心２０１ａが設けられている。
炉心２０１ａの上方には、蒸気分離器４０１と蒸気乾燥器４０２とが取り付けられている。
【００６３】
まず、ＩＣＭ取扱サポートリング１を、天井クレーン５０１で吊られる蒸気乾燥器／蒸気分離器取扱具４０３で保持する。そして、原子炉圧力容器２０１のスタッドボルト２０２（図１参照）をＩＣＭ取扱サポートリング１の筒１０５（図１参照）に挿通させ、ＩＣＭ取扱サポートリング１を原子炉圧力容器２０１のフランジ面２０１ｆに載置する。
【００６４】
続いて、図１３に示すように、天井クレーン５０１に吊られる蒸気乾燥器／蒸気分離器取扱具４０３で蒸気乾燥器４０２を持ち上げ、原子炉圧力容器２０１の外部に移動させる。
続いて、図１４に示すように、作業員Ｐが中性子計測器３０４を専用容器３０１の収納容器３０３に取り付ける。そして、中性子計測器３０４を取り付けた専用容器３０１の一方側に、天井クレーン５０１のスリング３０５を取り付ける。
【００６５】
続いて、図１５に示すように、作業員Ｐが中性子計測器３０４を取り付けた専用容器３０１の他方側に、天井クレーン５０１のガイドロープ３０６を取り付ける。そして、中性子計測器３０４を取り付けた専用容器３０１をスリング３０５とガイドロープ３０６とで、天井クレーン５０１に吊り下げる。
【００６６】
続いて、図１６に示すように、天井クレーン５０１を用いて中性子計測器３０４を取り付けた専用容器３０１を炉心２０１ａの上方に移動させる。そして、中性子計測器３０４を取り付けた専用容器３０１を炉心上方のＩＣＭ取扱サポートリング１のブラケット１０４（図１参照）に係合させ、専用容器３０１を炉心上方のＩＣＭ取扱サポートリング１に取り付ける。
【００６７】
こうして、図１７に示すように、燃料取扱機５０２を使用する前に、原子炉建屋の天井クレーン５０１を用いて、中性子計測器３０４が収納される専用容器３０１を原子炉圧力容器２０１の内部に取り付けておく。その後、原子炉建屋の天井クレーン５０１を使用しない状態で、燃料取扱機５０２が専用容器３０１に近づき、吊り具３０７に保持される中性子計測器取扱具３０８を中性子計測器３０４に取り付ける。
【００６８】
そして、図１８に示すように、作業員Ｐが操作ポール３０９で専用容器３０１の中性子計測器３０４に対するロックを解除する。
その後、図１９に示すように、燃料取扱機５０２で、吊り具３０７、中性子計測器取扱具３０８を介して、中性子計測器３０４を専用容器３０１から取り出し、炉心２０１ａ近くの所望の位置に設置する。
【００６９】
上記構成によれば、天井クレーン５０１または燃料取扱機５０２を用いて専用容器３０１をＩＣＭ取扱サポートリング１に取り付けられる構造として、同時に複数の取り扱いクレーン５０１、５０２両者を用いない方法を採用する。これにより、何れか片方のクレーン５０１、５０２を別の作業に使用できる。そのために、定期検査の期間の低減が見込まれる。
【００７０】
以上より、同時に複数の取り扱いクレーン５０１、５０２を用いない方法を採用することで、片方のクレーンを別の作業に使用できるために、定期検査の期間の低減が見込まれる。
また、作業環境の改善や被ばく低減が期待できる。更に、原子炉建屋の天井クレーン５０１と燃料取替機５０２の近接した作業を実施しないことや、作業の簡易化による原子炉の安全が確保できる。
【符号の説明】
【００７１】
１、２、３、４  ＩＣＭ取扱サポートリング
１０２  穴
１０３  吊り部
１０４  ブラケット（ブラケット部）
１０６  ガイド
１０８、１０８Ａ、１０８Ｂ  着脱ブラケット（ブラケット部）
２０１  原子炉圧力容器
２０１ｆ  フランジ面
２０２  スタッドボルト
２０３  上部案内管（上部案内棒）
３０１  専用容器
３０２  サービス機器（装置）
３０４  中性子計測器
【図１】
2020038111.tif 000003
【図２Ａ】
2020038111.tif 000004
【図２Ｂ】
2020038111.tif 000005
【図３】
2020038111.tif 000006
【図４Ａ】
2020038111.tif 000007
【図４Ｂ】
2020038111.tif 000008
【図４Ｃ】
2020038111.tif 000009
【図４Ｄ】
2020038111.tif 000010
【図４Ｅ】
2020038111.tif 000011
【図５Ａ】
2020038111.tif 000012
【図５Ｂ】
2020038111.tif 000013
【図６Ａ】
2020038111.tif 000014
【図６Ｂ】
2020038111.tif 000015
【図６Ｃ】
2020038111.tif 000016
【図７Ａ】
2020038111.tif 000017
【図７Ｂ】
2020038111.tif 000018
【図８Ａ】
2020038111.tif 000019
【図８Ｂ】
2020038111.tif 000020
【図９】
2020038111.tif 000021
【図１０Ａ】
2020038111.tif 000022
【図１０Ｂ】
2020038111.tif 000023
【図１１Ａ】
2020038111.tif 000024
【図１１Ｂ】
2020038111.tif 000025
【図１１Ｃ】
2020038111.tif 000026
【図１２】
2020038111.tif 000027
【図１３】
2020038111.tif 000028
【図１４】
2020038111.tif 000029
【図１５】
2020038111.tif 000030
【図１６】
2020038111.tif 000031
【図１７】
2020038111.tif 000032
【図１８】
2020038111.tif 000033
【図１９】
2020038111.tif 000034